(57)【要約】【課題】端末のディスプレイ等の表示部に示される端末の表示領域の大きさにかかわらず利用者が視認し易く、かつ、提供する情報も変更されず、さらに、当該端末の表示領域における適切な画面を提供することができる表示システム等を提供すること。【解決手段】各種情報を表示する表示領域を有する表示部１０１ｂを有する端末１００ｂと、端末に所望の情報を提供する情報提供装置１０とを、備える表示システム１で、情報提供装置から提供される同一の情報内容を前記表示領域の大きさに対応して表示する複数の表示形式情報３２、３６を有し、端末が有する表示領域の大きさ情報１０８ｂと複数の表示形式情報に基づいて表示形式情報から一つの表示形式情報を選択する表示形式選択部２４と、を有する表示システム１。【選択図】  図１
2015087995.tif 000002
【特許請求の範囲】
【請求項１】
各種情報を表示する表示領域を有する表示部を有する端末と、前記端末に所望の情報を提供する情報提供装置とを、備える表示システムであって、
前記情報提供装置から提供される同一の情報内容を前記表示領域の大きさに対応して表示する複数の表示形式情報を有し、
前記端末が有する前記表示領域の大きさ情報と複数の前記表示形式情報に基づいて前記表示形式情報から一つの前記表示形式情報を選択する表示形式選択部と、を有することを特徴とする表示システム。
【請求項２】
前記表示領域が操作者の操作で、その大きさが可変可能なウインドウ部であり、前記ウインドウ部は、当該情報提供装置から提供される情報を表示するために与えられた特定ウインドウ部であることを特徴とする請求項１に記載の表示システム。
【請求項３】
前記表示形式情報は、標準的な大きさの標準表示形式情報と、前記標準形式情報より小さい小型表示形式情報を有し、前記小型表示形式情報は、その情報が２層構造となり、第１層の第１層項目情報に、その関連情報が第２層に配置され、利用者が前記第１層項目情報を選択実行されると、前記第１層項目情報と同時に前記関連情報が表示されることを特徴とする請求項１又は請求項２に記載の表示システム。
【請求項４】
前記端末は、大きさ異なる表示部を有する複数種類端末を含み、
前記情報提供装置が、複数の前記表示形式情報を有すると共に、前記表示形式選択部と、を有することを特徴とする請求項１乃至請求項３のいずれか１項に記載の表示システム。
【請求項５】
前記表示領域の大きさ情報がウインドウの横幅ピクセル情報であることを特徴とする請求項１乃至請求項４のいずれか１項に記載の表示システム。
【請求項６】
各種情報を表示する表示領域を有する表示部を有する端末と、前記端末に所望の情報を提供する情報提供装置とを、備える表示システムの表示方法であって、
前記情報提供装置から提供される同一の情報内容を前記表示領域の大きさに対応して表意する複数の表示形式情報を有し、
表示形式選択部が、前記端末が有する前記表示領域の大きさ情報と複数の前記表示形式情報に基づいて前記表示形式情報から一つの前記表示形式情報を選択することを特徴とする表示システムの表示方法。
【発明の詳細な説明】
【技術分野】
【０００１】
本発明は、例えば、各種情報を管理する情報管理装置から情報を受信する端末装置で，受信した情報を表示する表示システム及び表示システムの表示方法に関するものである。
【背景技術】
【０００２】
従来、利用者が端末等から各種情報を管理する情報管理サーバ等にインターネット等を介して接続し、当該情報管理サーバが管理する情報を取得し、自己の端末のディスプレイに表示させる構成は提案されている（例えば、特許文献１等）。
また、近年は、利用者が携帯可能な端末から、このような情報管理サーバ、例えば、会議室の予約状況サーバ等にアクセスして、その会議室の予約情報を携帯端末のディスプレイに表示させるという需要も増大している。
このような携帯端末には、小型の携帯電話機能を有するスマートフォン等の端末と、この端末より大型のタブレット型携帯端末等があり、これらはディスプレイの大きさが異なって構成されている。
【先行技術文献】
【特許文献】
【０００３】
【特許文献１】特開２０１２−５３６８７
【発明の概要】
【発明が解決しようとする課題】
【０００４】
このため、例えば、会議室の予約状況等を表等で示す場合、同じ表を携帯端末に提供すると、大型の携帯端末のディスプレイでは、その表の全体を利用者が視認できても、小型の携帯電話等の端末では、表全体が縮小され、利用者にとって視認し難いという問題があった。
また、大型の携帯端末のディスプレイ用の画面とは異なる小型の携帯電話等の端末用の画面を別に作成して提供することも提案されているが、この場合、ディスプレイが小さいため、そのディスプレイの大きさに合わせて提供される情報が変更され、大型の携帯端末のディスプレイ用の画面の情報と相違してしまうという問題もあった。
さらに、近年は、携帯端末の種類が増え、そのディスプレイの大きさの種類も増えたので、携帯電話等であっても必ずしも、小型の携帯端末用の画面が好ましいとは限らないという問題もあった。
【０００５】
そこで、本発明は、端末のディスプレイ等の表示部に示される端末の表示領域の大きさにかかわらず利用者が視認し易く、かつ、提供する情報も変更されず、さらに、当該端末の表示領域における適切な画面を提供することができる表示システム及び表示システムの表示方法を提供することを目的とする。
【０００６】
上記目的は、本発明にあっては、各種情報を表示する表示領域を有する表示部を有する端末と、前記端末に所望の情報を提供する情報提供装置とを、備える表示システムであって、前記情報提供装置から提供される同一の情報内容を前記表示領域の大きさに対応して表示する複数の表示形式情報を有し、前記端末が有する前記表示領域の大きさ情報と複数の前記表示形式情報に基づいて前記表示形式情報から一つの前記表示形式情報を選択する表示形式選択部と、を有することを特徴とする表示システムにより達成される。
【０００７】
前記構成によれば、情報提供装置から提供される同一の情報内容を表示領域の大きさに対応して表示する複数の表示形式情報を有している。
すなわち、情報提供装置が有する、例えば、会議室の利用予約情報等の同一の情報内容を利用者の端末のディスプレイ等の表示部に表示するとき、その表示部に表示されるウインドウ等の表示領域の大きさに対応した大小等の複数の表示形式情報を有している。したがって、端末に提供される情報の内容は、その表現形式が異なっても変更されることなく、利用者に提供される。
また、前記構成は、端末が有する表示領域の大きさ情報と複数の表示形式情報に基づいて表示形式情報から一つの表示形式情報を選択する表示形式選択部を有している。
したがって、利用者の端末の表示形式情報に合致した最適な表示形式情報で会議室の利用予約情報等の所望の情報が利用者の端末に提供される。
このように、端末のディスプレイ等の表示部に示される端末の表示領域の大きさにかかわらず利用者が視認し易く、かつ、提供する情報も変更されず、さらに、当該端末の表示領域における適切な画面を提供することができる。
【０００８】
好ましくは、前記表示領域が操作者の操作で、その大きさが可変可能なウインドウ部であり、前記ウインドウ部は、当該情報提供装置から提供される情報を表示するために与えられた特定ウインドウ部であることを特徴とする。
【０００９】
前記構成によれば、同じ端末の表示部であっても、操作者が会議室に利用予約情報等の特定ウインドウ部の大きさを変更することで、異なる表示形式情報を選択することができる。例えば、利用者がその端末の表示部の特定ウインドウ部を小さく設定し，小さなウインドウ部に対応した表示形式情報を表示することで、表示部に他の情報に関するウインドウ部を同時に表示させることができ、利用者にとって使い易いシステムとなる。
【００１０】
好ましくは、前記表示形式情報は、標準的な大きさの標準表示形式情報と、前記標準形式情報より小さい小型表示形式情報を有し、前記小型表示形式情報は、その情報が２層構造となり、第１層の第１層項目情報に、その関連情報が第２層に配置され、利用者が前記第１層項目情報を選択実行されると、前記第１層項目情報と同時に前記関連情報が表示されることを特徴とする。
【００１１】
前記構成によれば、小型表示形式情報は、その情報が２層構造となり、第１層の第１層項目情報に、その関連情報が第２層に配置される。
このため、小型表示形式情報であっても、標準表示形式情報を同じ内容の情報を利用者に視認し易い状態で表示することができ、表示形式の違いでその情報が異なる等の事態の発生を回避することができる。
また、第１層の第１層項目情報（例えば、中会議室等）を選択実行されると、第１層項目情報と同時に関連情報（例えば、利用時間、利用者情報等）が表示されるので、利用者にとって情報を把握し易い表示となる。
【００１２】
好ましくは、前記端末は、大きさ異なる表示部を有する複数種類端末を含み、前記情報提供装置が、複数の前記表示形式情報を有すると共に、前記表示形式選択部と、を有することを特徴とする。
【００１３】
前記構成によれば、情報提供装置が、複数の前記表示形式情報を有すると共に、前記表示形式選択部と、を有するので、情報提供装置は、各端末の表示部の表示領域の情報に従い、各端末に適した表示形式で所望の情報を端末に送信することができる。
すなわち、例えば、端末が、小型の携帯電話で表示部も小さいときは、その表示領域も小さいので、小型表示形式等で情報を送信するので、利用者は適切な表示形式で情報を視認しすることができる。
【００１４】
好ましくは、前記表示領域の大きさ情報がウインドウの横幅ピクセル情報であることを特徴とする。
【００１５】
前記構成によれば、表示領域の大きさ情報がウインドウを適切に判断することができる。
【００１６】
上記目的は、本発明にあっては、各種情報を表示する表示領域を有する表示部を有する端末と、前記端末に所望の情報を提供する情報提供装置とを、備える表示システムの表示方法であって、
前記情報提供装置から提供される同一の情報内容を前記表示領域の大きさに対応して表意する複数の表示形式情報を有し、
表示形式選択部が、前記端末が有する前記表示領域の大きさ情報と複数の前記表示形式情報に基づいて前記表示形式情報から一つの前記表示形式情報を選択することを特徴とする表示システムの表示方法により達成される。
【発明の効果】
【００１７】
以上説明したように、本発明は、端末のディスプレイ等の表示部に示される端末の表示領域の大きさにかかわらず利用者が視認し易く、かつ、提供する情報も変更されず、さらに、当該端末の表示領域における適切な画面を提供することができる表示システム及び表示システムの表示方法を提供することができるという利点がある。
【図面の簡単な説明】
【００１８】
【図１】本発明に係る表示システムである例えば、公民館等の会議室利用予約システムを示す概略図である。
【図２】図１のスマートフォン、タブレット型コンピュータの主な構成を示す概略ブロック図である。
【図３】図１に示す管理サーバの主な構成を示す概略ブロック図である。
【図４】第１各種情報記憶部の内容を示す概略ブロック図である。
【図５】第２各種情報記憶部の内容を示す概略ブロック図である。
【図６】第３各種情報記憶部の内容を示す概略ブロック図である。
【図７】第４各種情報記憶部の内容を示す概略ブロック図である。
【図８】本実施の形態に係る会議室利用予約システムの主な動作例等を示す概略フローチャートである。
【図９】本実施の形態に係る会議室利用予約システムの主な動作例等を示す他の概略フローチャートである。
【図１０】本実施の形態に係る会議室利用予約システムの主な動作例等を示す他の概略フローチャートである。
【図１１】本実施の形態に係る会議室利用予約システムの主な動作例等を示す他の概略フローチャートである。
【図１２】図５の「標準表示フォーム記憶部」に記憶されている「標準表示フォーム」を示す概略図である。
【図１３】図１２の標準表示フォームに従い、会議室利用予約個別情報を当てはめた「端末用表示情報（標準表示フォーム基準）」を示す概略図である。
【図１４】図５の「小型表示フォーム記憶部」に記憶されている「小型表示フォーム」を示す概略図である。
【図１５】図５の「小型表示フォーム記憶部」に記憶されている「小型表示フォーム」を示す他の概略図である。
【図１６】図１４及び図１５の小型表示フォームに従い、会議室利用予約個別情報を当てはめた「端末用変更表示情報（小型表示フォーム基準）」を示す概略図である。
【発明を実施するための形態】
【００１９】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１は、本発明に係る表示システムである例えば、公民館等の会議室利用予約システム１を示す概略図である。
図１に示す会議室利用予約システム１は、例えば、地方公共団体である市町村等が管理する公民館等の会議室の利用予約状況を閲覧し予約することができるシステムである。
図１に示すように、会議室利用予約システム１は、公民館等の会議室等の予約状況に関する情報を記憶する情報提供装置である例えば、管理サーバ１０を有すると共に、この管理サーバ１０と、インターネット網２及び基地局３を介して通信可能に接続されている複数種類端末である例えば、スマートフォン１００ａ及びタブレット型コンピュータ１００ｂを有している。
【００２１】
このスマートフォン１００ａは、ＬＥＤ（Ｌｉｑｕｉｄ  Ｃｒｙａｔａｌ  Ｄｉｓｐｌａｙ、液晶ディスプレイ）とタッチパネルをユーザーインターフェイスデバイスとして備える多機能携帯電話である。タッチパネルは、ＬＥＤとタッチパッド等の位置入力装置を組み合わせた電子部品である。
一方、タブレット型コンピュータ１００ｂは、ＬＥＤとタッチパネルをユーザーインターフェイスデバイスとして備える携帯用コンピュータである。
【００２２】
これらスマートフォン１００ａ及びタブレット型コンピュータ１００ｂは、共に、表示部である例えば、タッチパネル付きディスプレイ１０１ａ、１０１ｂを有する共に、スイッチ１０２ａ、１０２ｂも有している。
また、スマートフォン１００ａ及びタブレット型コンピュータ１００ｂは、図１の管理サーバ１０と接続すると、このタッチパネル付きディスプレイ１０１ａ、１０１ｂには、ブラウザ等のインターネットソフトウエアにより、特定のアプリケーションに与えられる表示領域、ウインドウ部である例えば、ウインドウが表示される構成となっている。
このウインドウは、本実施の形態では、管理サーバ１０から提供される「会議室利用予約情報」に関するアプリケーションに与えられるものであり、「会議室利用予約情報」が特定ウインドウ部である例えば、ウインドウに表示される。
【００２３】
また、スマートフォン１００ａ及びタブレット型コンピュータ１００ｂのタッチパネル付きディスプレイ１０１ａ、１０１ｂでは、操作者が指等で同ディスプレイ１０１ａ、１０１ｂに接触する等により、同ディスプレイ１０１ａ、１０１ｂに表示されているウインドウの大きさを拡大又は縮小することができる構成となっている。
また、本実施の形態では、スマートフォン１００ａでは、ウインドウは、最大、ウインドウの横幅ピクセルが５４０ピクセルまでとなっており、タブレット型コンピュータ１００ｂでは、最大、ウインドウの横幅ピクセルが９６０ピクセルまでとなっている。
ここで。ピクセルは、コンピュータで画像を扱うときの、色情報（色調や階調）を持つ最小単位の画素を意味する。
【００２４】
図１の管理サーバ１０，スマートフォン１００ａ、タブレット型コンピュータ１００ｂ等は、コンピュータを備え、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）やハードディスク等を有し、バスを介して接続されている。
【００２５】
図２は、図１のスマートフォン１００ａ、タブレット型コンピュータ１００ｂの主な構成を示す概略ブロック図である。
図２に示すように、スマートフォン１００ａ等は、「端末制御部１０３ａ（ｂ）」を有し、端末制御部１０３ａ（ｂ）は、図１の管理サーバ１０と通信するための「端末側通信装置１０４ａ（ｂ）」、図１に示す「タッチパネル付きディスプレイ１０１ａ（ｂ）」及び「スイッチ１０２ａ（ｂ）」を制御する他、図２に示す各種記憶部やプログラム等を制御する構成となっている。
図２に示す各種記憶部やプログラム等の内容は、後述する。
【００２６】
図３は、図１に示す管理サーバ１０の主な構成を示す概略ブロック図である。
図３に示すように、管理サーバ１０は、「管理サーバ制御部１１」を有し、管理サーバ制御部１１は、インターネット網２等と通信するための「管理サーバ側通信装置１２」、各種情報を表示する「管理サーバ側ディスプレイ１３」及び各種情報を入力する「管理サーバ側入力装置１４」を制御する他、図３に示す「第１各種情報記憶部２０」、「第２各種情報記憶部３０」、「第３各種情報記憶部４０」及び「第４各種情報記憶部５０」等も制御する。
図４乃至図７は、それぞれ「第１各種情報記憶部２０」、「第２各種情報記憶部３０」、「第３各種情報記憶部４０」及び「第４各種情報記憶部５０」の内容を示す概略ブロック図である。これらの内容については、後述する。
【００２７】
図８乃至図１１は、本実施の形態に係る会議室利用予約システム１の主な動作例等を示す概略フローチャートである。
以下、これらフローチャートに沿って、その動作等を説明すると共に、図１乃至図７の構成についても併せて説明する。
本実施の形態では、会議室の利用状況の確認を希望する利用者が、図１のタブレット型コンピュータ１００ｂを用いて管理サーバ１０にアクセスし、このとき、そのタッチパネル付きディスプレイ１０１ｂを利用者が操作することで、ウインドウの大きさを縮小等する場合を例に説明する。
【００２８】
先ず、ステップＳＴ（以下「ＳＴ」と称する。）１では、利用者が自己のタブレット型コンピュータ１００ｂ（以下「端末１００ｂ」と称する。）を操作して、図１の管理サーバ１０にアクセスし、例えば、Ｘ公民館の「会議室利用予約サイト」にアクセスする。
次いで、ＳＴ２へ進む。ＳＴ２では、端末１００ｂは、管理サーバ１０から、Ｘ公民館の「会議室利用予約サイト」の「会議室利用予約メニュー」画面を取得して、端末１００ｂのタッチパネル付きディスプレイ１０１ｂに表示させる。
具体的には、図４の「会議室利用予約メニュー画面情報記憶部２１」の情報を管理サーバ１０が、端末１００ｂに送信し、端末１００ｂに表示させる。この「会議室利用予約メニュー」には、「会議室予約状況」の項目が含まれている。
【００２９】
次いで、ＳＴ３へ進む。ＳＴ３では、管理サーバ１０は、端末１００ｂで利用者がタッチパネル機能を操作する等して、「会議室予約状況」の項目を選択したか否かを判断し、選択したときは、ＳＴ４へ進む。
【００３０】
ＳＴ４では、管理サーバ１０の図４の「ウインドウ横幅ピクセル情報要求部（プログラム）２２」が動作し、端末１００ｂに、暫定設定されているウインドウの横幅ピクセル情報を要求する。
次いで、ＳＴ５へ進む。ＳＴ５では、端末１００ｂは、図２の「端末側ウインドウ横幅ピクセル情報記憶部１０８ｂ」に記憶されている「端末側ウインドウ横幅ピクセル情報」を管理サーバ１０に送信する。
この「端末側ウインドウ横幅ピクセル情報」は、例えば、タッチパネル付きディスプレイ１０１ｂに特定の大きさに設定されたウインドウの横幅のピクセル数値である。
本実施の形態では、「端末側ウインドウ横幅ピクセル情報」として、ウインドウの横幅ピクセルが９６０ピクセルに設定され、これは、タッチパネル付きディスプレイ１０１ｂにおいて、ウインドウを最大として値であることを例として説明する。
【００３１】
次いで、ＳＴ６へ進む。ＳＴ６では、管理サーバ１０は、端末１００ｂから送信された「端末側ウインドウ横幅ピクセル情報（例えば、９６０ピクセル）」を図４の「管理サーバ側ウインドウ横幅ピクセル情報記憶部２３」に記憶する。
なお、この端末側ウインドウ横幅ピクセル情報（例えば、９６０ピクセル）が、「表示領域の大きさ情報」の一例となっている。
【００３２】
次いで、ＳＴ７へ進む。ＳＴ７では、図４の「表示フォーム判断部（プログラム）２４」が動作し、「管理サーバ側ウインドウ横幅ピクセル情報記憶部２３」の「９６０ピクセル」と図４の「標準／小型表示フォーム基準情報記憶部２５」を参照する。
この「標準／小型表示フォーム基準情報記憶部２５」には、ウインドウの大きさ（ピクセル）に応じた複数、例えば、２種類の表示形式情報である例えば、「標準表示フォーム」と「小型表示フォーム」が記憶されている。
【００３３】
この「標準表示フォーム」は例えば、ウインドウ横幅ピクセルが７５０ピクセル以上の大きさのウインドウで見やすい会議室利用予約情報となっている。また、一方、「小型標準フォーム」は、ウインドウ横幅ピクセルが７５０未満の大きさ、すなわち、標準表示フォームより小さなウインドウで見やすい会議室利用予約情報となっている。
これら「標準表示フォーム」及び「小型標準フォーム」の内容については、後述する。
また、「標準表示フォーム」は、標準表示形式情報の一例で、「小型標準フォーム」は小型表示形式情報の一例となっている。
【００３４】
ところで、ＳＴ７では、上述のように「管理サーバ側ウインドウ横幅ピクセル情報記憶部２３」の「９６０ピクセル」と図４の「標準／小型表示フォーム基準情報記憶部２５」を参照し、当該表示フォームを「標準表示フォーム」と「小型標準フォーム」のいずれかにすべきかを判断し、その結果を図４の「判断済み表示フォーム記憶部２６」に記憶する。
本実施の形態では、「９６０ピクセル」であったため「標準表示フォーム」と判断し、記憶する。
なお、この「表示フォーム判断部（プログラム）２４」が、表示形式選択部の一例となっている。
【００３５】
次いで、ＳＴ８へ進む。ＳＴ８では、図５の「端末用表示情報生成部（プログラム）３１」が動作し、図４の「判断済み表示フォーム記憶部２６」を参照し、「標準表示フォーム」又は「小型表示フォーム」のいずれかを特定する。
上述の例では、「標準表示フォーム」と特定される。
そして、このように「標準表示フォーム」と特定されたときは、図５の「標準表示フォーム記憶部３２」と「会議室利用予約個別情報記憶部３３」を参照する。
【００３６】
図１２は、図５の「標準表示フォーム記憶部３２」に記憶されている「標準表示フォーム３２ａ」を示す概略図である。
図１２に示すように、標準表示フォーム３２ａには、表示するフォーマットが記載されており、図５の「会議室利用予約個別情報記憶部３３」には、会議室利用予約個別情報、例えば、公民館の会議室の利用予約個別情報（年月日、会議室名、利用時間と利用者名等の情報）が記憶されている。
したがって、本実施の形態では、この「標準表示フォーム３２ａ」に従い、会議室利用予約個別情報を当てはめて、図１の端末１００ｂに表示させるべき「端末用表示情報」を生成し、図５の「端末用表示情報記憶部３４」に記憶することとなる。
【００３７】
また、図１３は、図１２の標準表示フォーム３２ａに従い、会議室利用予約個別情報を当てはめた「端末用表示情報（標準表示フォーム基準）」を示す概略図である。
以下、当てはめの内容を説明する。
先ず、図に示すような表の第１段目には、図１２に示すように「年月日情報」を当てはめる。この「年月日情報」は、会議室利用予約個別情報から抽出する。そして、例えば、図１３に示すように、第１段目には「２０１３／１１／１０（日）」と表示される。
【００３８】
また、図１３の第２段目には、図１２に示すように、左側欄に「会議室名／時間」と表示し、中央及び右側欄には「時間」を、その経過が横方向に推移するように表示するフォームとなっている。
このため、必要な情報を会議室利用予約個別情報から抽出して、図１３の第２段目のように「会議室名／時間」及び「９」〜「２０」までに数字が横方向に配置される。
また、図１３の第３段目には、図１２に示すように、左側欄に「小会議室」、中央及び右側欄には、第２段目で示した時間に即して「利用予約時間」を時間経過と共に横方向に表示すると共に、その「利用者情報」を表示することになる。
したがって、会議室利用予約個別情報から必要な情報を抽出して、図１３に示すように当てはめ、図９に示すように「９時〜１２時」が「グループＡ（利用者情報）」と表示する。
【００３９】
また、図１３の第４段目には、図１２に示すように、左側欄に「中会議室」、中央及び右側欄には、第２段目で示した時間に即して「利用予約時間」を時間経過と共に横方向に表示すると共に、その「利用者情報」を表示することになる。
したがって、会議室利用予約個別情報から必要な情報を抽出して、図１３に示すように当てはめ、図１３に示すように「９時〜１２時」が「グループＡ（利用者情報）」、「１２時〜１５時」が「グループＢ（利用者情報）」、「１８時〜２１時」が「グループＣ（利用者情報）」と表示する。
【００４０】
また、図１３の第５段目には、図１２に示すように、左側欄に「工芸室」、中央及び右側欄には、第２段目で示した時間に即して「利用予約時間」を時間経過と共に横方向に表示すると共に、その「利用者情報」を表示することになる。
したがって、会議室利用予約個別情報から必要な情報を抽出して、図１３に示すように当てはめ、図１３に示すように「９時〜１２時」が「グループＤ（利用者情報）」、「１２時〜１５時」が「グループＥ（利用者情報）」、「１５時〜１８時」が「グループＦ（利用者情報）」と表示する。
【００４１】
以上のような、端末１００ｂのタッチパネル付きディスプレイ１０１ｂに表示すべき「端末用表示情報（標準表示フォーム基準）」が図５の「端末用表示情報記憶部３４」に記憶される。
なお、「小型表示フォーム」を用いて「端末用表示情報」を生成する工程については、後述の「端末用変更表示情報」を生成する工程で、その内容を説明する。
【００４２】
次いで、ＳＴ９へ進む。ＳＴ９では、管理サーバ１０が、「端末用表示情報記憶部３４」の端末用表示情報、例えば、標準表示フォームに基づく端末用表示情報を端末１００ｂへ送信する。
次いで、ＳＴ１０へ進む。ＳＴ１０では、端末１００ｂが管理サーバ１０から受信した「端末用表示情報（標準表示フォームに基づく端末用表示情報）」をタッチパネル付きディスプレイ１０１ｂに表示されるウインドウに表示される。
すなわち、このとき、ウインドウはタッチパネル付きディスプレイ１０１ｂ内の最大の大きさである横幅ピクセル９６０のウインドウに表示される。
また、このウインドウに表示されるのが、図１３に示す「端末用表示情報（標準表示フォーム基準）」であり、図１３の表を利用者に見やすく表示することができる。
【００４３】
次いで、ＳＴ１１へ進む。ＳＴ１１では、端末１００ｂで、ウインドウ横幅ピクセルが変更されたか否かが判断される。
すなわち、上述のように、端末１００ｂのタッチパネル付きディスプレイ１０１ｂを有し、そのディスプレイ上に表示されるウインドウの大きさは変更可能となっている。
また、上述のように、本実施の形態では、端末１００ｂのディスプレイ上のウインドウの大きさは、最大の大きさである横幅ピクセルが９６０ピクセルと設定されている。
したがって、例えば、利用者が、図１の管理サーバ１０の会議室利用予約状況のウインドウを開いて確認すると共に、他の市町村の会議室の利用予約状況のウインドウを同時にディスプレイ上に開くことを希望するときなどに、当該管理サーバ１０のウインドウを小さくするように操作する場合がある。
この場合、ウインドウが小さくなるため、「端末用表示情報（標準表示フォーム基準）」での表示では適切でなくなる可能性がある。
そこでＳＴ１１で、ウインドウの大きさが変更されたか否かが判断される。
【００４４】
ＳＴ１１で、ウインドウの大きさが変更されていないときは、ＳＴ１２へ進み、端末１００ｂから管理サーバ１０へのアクセスが終了したときは、終了する。
一方、ＳＴ１１で、ウインドウの大きさが変更されたと判断されたときは、ＳＴ１３へ進む。本実施の形態では、利用者がディスプレイ上のウインドウを操作し、ウインドウの大きさを「横幅ピクセル９６０」から「横幅ピクセル５４０」に変更した例で、以下説明する。
【００４５】
ＳＴ１３では、端末１００ｂが、変更後のウインドウの横幅ピクセル情報、例えば、５４０ピクセルを図２の「変更後横幅ピクセル情報記憶部１０６ｂ」に記憶する。
具体的には、図２の「ウインドウ横幅ピクセル変更検知部（プログラム）１０５ｂ」が動作し、タッチパネル付きディスプレイ１０１ｂに表示されている「端末用表示情報」のウインドウの横幅ピクセルが変更されたか否かを判断し、変更された場合、変更後のウインドウの横幅ピクセル情報（例えば、５４０ピクセル）を「変更後横幅ピクセル情報記憶部１０６ｂ」に記憶する。
【００４６】
次いで、ＳＴ１４へ進む。ＳＴ１４では、端末１００ｂが、変更後横幅ピクセル情報（例えば、５４０ピクセル）を管理サーバへ送信する。
次いで、ＳＴ１５へ進む。ＳＴ１５では、管理サーバ１０は、受信した「変更後横幅ピクセル情報（例えば、５４０ピクセル）」を図５の「サーバ側変更後横幅ピクセル情報記憶部３５」に記憶する。
【００４７】
次いで、ＳＴ１６へ進む。ＳＴ１６では、図６の「変更後表示フォーム判断部（プログラム）４１」が動作し、図５の「サーバ側変更後横幅ピクセル情報記憶部３５」と「標準／小型表示フォーム基準情報記憶部２５」を参照し、変更後の横幅ピクセルのウインドウ、例えば、５４０ピクセルが「標準表示フォーム」又は「小型表示フォーム」であるかを判断する。
本実施の形態では、７５０ピクセル以下が、「小型表示フォーム」であるので、その判断された表示フォームとして、「小型表示フォーム」が図６の「変更後表示フォーム記憶部４２」に記憶される。
【００４８】
次いで、ＳＴ１７へ進む。ＳＴ１７では、図６の「表示フォーム変更可否判断部（プログラム）４３」が動作し、「変更後表示フォーム記憶部４２」の表示フォーム（例えば、小型表示フォーム）と図４の「判断済み表示フォーム記憶部２６」の表示フォームとが一致するか否かを判断する。
本実施の形態では、「判断済み表示フォーム記憶部２６」の表示フォームが「標準表示フォーム」なので、「一致しない」と判断される。
【００４９】
すなわち、本実施の形態では、管理サーバ１０が、当初、端末１００ｂに情報を提供する際に使用した「表示フォーム」を変更が必要であるか否かを判断する。
そして、ＳＴ１８で、一致しないと判断されたときは、ＳＴ１９へ進む。ＳＴ１９では、図６の「表示フォーム変更可否判断部（プログラム）４３」が動作し、変更後の横幅ピクセルのウインドウが該当する表示フォーム（例えば、小型表示フォーム等）を「要変更表示フォーム記憶部４４」に記憶する。
【００５０】
次いで、ＳＴ２０へ進む。ＳＴ２０では、図７の「表示フォーム変更部（プログラム）５１」が動作し、図６の「要変更表示フォーム記憶部４４」を参照し、「標準表示フォーム」又は「小型表示フォーム」のいずれかを特定する。
上述の例では、「小型表示フォーム」と特定される。
そして、このように「小型表示フォーム」と特定されたときは、図５の「小型表示フォーム記憶部３６」と「会議室利用予約個別情報記憶部３３」を参照する。
【００５１】
図１４及び図１５は、図５の「小型表示フォーム記憶部３６」に記憶されている「小型表示フォーム３６ａ（１）（２）」を示す概略図である。
図１４及び図１５に示すように、小型表示フォーム３６ａには、表示するフォーマットが記載されており、図５の「会議室利用予約個別情報記憶部３３」には、会議室利用予約個別情報、例えば、公民館の会議室の利用予約個別情報（年月日、会議室名、利用時間と利用者名等の情報）が記憶されている。
したがって、本実施の形態では、この「小型表示フォーム３６ａ」に従い、会議室利用予約個別情報を当てはめて、図１の端末１００ｂに表示させるべき「端末用変更表示情報」を生成し、図７の「端末用変更表示情報記憶部５２」に記憶することとなる。
【００５２】
「小型表示フォーム３６ａ」は、第１層の情報と、第２層の情報を有し、第２層の情報は、第１層の特定項目と関連付けられている関連情報である。
図１４及び図１５に示すように、第１層の第１段目には、第１層項目情報である例えば、「年月日」、第２段目には、「小会議室」、第３段目には「中会議室」、第４段目には「工芸室」と表示される。
【００５３】
そして、図１４の第２段目の「小会議室」の項目には、第２層として「小会議室」の関連情報である例えば、「小会議室用詳細予約情報ウインドウ」が関連付けられている。
この第２層の「小会議室用詳細予約情報ウインドウ」は、第１層の「小会議室」の項目を利用者がタッチパネル付きディスプレイ１０１ｂを操作し、選択した際に、ディスプレイ上に、同時に、具体的には、「小会議室」の項目の直下に表示されることになる。
すなわち、第２層の関連情報は，関連する第１層の「小会議室」と同時に連続して表示されるので、利用者が視認しやすく、把握しやすい配置となっている。
【００５４】
また、図１４の第３段目の「中会議室」の項目には、第２層として、「中会議室用詳細予約情報ウインドウ」が関連付けられている。そして、この第２層の「中会議室用詳細予約情報ウインドウ」は、第１層の「中会議室」の項目を利用者がタッチパネル付きディスプレイ１０１ｂを操作し、選択した際に、ディスプレイ上に、同時に、「中会議室」の項目の直下に表示される構成となっている。
【００５５】
また、図１５の第３段目の「工芸室」の項目には、第２層として、「工芸室用詳細予約情報ウインドウ」が関連付けられている。そして、この第２層の「工芸室用詳細予約情報ウインドウ」は、第１層の「工芸室」の項目を利用者がタッチパネル付きディスプレイ１０１ｂを操作し、選択した際に、ディスプレイ上に、同時に、「工芸室」の項目の直下に表示される構成となっている。
【００５６】
このように、「小型表示フォーム３６ａ」は「標準表示フォーム３２ａ」と異なり、全ての情報を同じ表等に表すことなく、特定の項目情報と、その関連情報を２層に分け、最初は、第１層のみをディスプレイ上に表示するので、表等のフォームを標準表示フォームより小さくすることができる。
したがって、端末１００ｂのウインドウが小さい場合でも必要な項目を利用者が視認し易く、且つ把握し易い構成となっている。
また、利用者が特定項目に関連する詳細な情報を必要とするときは、当該項目を選択することで、同時に、その直下に第２層の関連情報が表示されるので、標準表示フォーム３２ａと同様の情報をディスプレイ上に表示させることができる。
【００５７】
また、後述のように、小型表示フォームを基準とした「端末用変更表示情報」は、図５の標準表示フォームを基準とした「端末用表示情報記憶部３４」の「端末用表示情報」と同様に、「会議室利用予約個別情報」を当てはめているので、表示フォームを変更しても、その提供する情報は同じとなり、従来のように、表示フォームが小さくなることで、情報の内容も変更されるという事態の発生を回避することができる。
【００５８】
また、図１６は、図１４及び図１５の小型表示フォーム３６ａに従い、会議室利用予約個別情報を当てはめた「端末用変更表示情報（小型表示フォーム基準）」を示す概略図である。
図１６（ａ）は、第１層を示し、図１６（ｂ）は、第１層の「中会議室」の項目を選択した後に、関連する第２層も表示された状態を示す概略図である。
以下、当てはめの内容を説明する。
先ず、図に示すような表の第１層の第１段目には、図１４に示すように「年月日情報」を当てはめる。この「年月日情報」は、会議室利用予約個別情報から抽出する。そして、例えば、図１６（ａ）に示すように、第１層の第１段目には「２０１３／１１／１０（日）」と表示される。
【００５９】
また、図１６（ａ）の第１層の第２段目には、図１４に示すように、「小会議室」と表示される。
また、この第２段目の欄は、図１４に示すように、第２層である「小会議室用詳細予約情報ウインドウ」と関連付けられる。
この「小会議室用詳細予約情報ウインドウ」は、ウインドウの左側欄に時間経過を縦方向に表示し、中央及び右側欄に左側欄で示した時間に即して利用予約時間を時間経過と共に縦方向に表示すると共にその利用者情報を表示するフォームとなっている。
このため、必要な情報を会議室利用予約個別情報から抽出して、第１層の第２段目の第２層として、時間が「９」〜「２０」までの数字が縦方向に当てはめて、配置され、この数字に沿って、９時〜１２時「グループＡ（利用者情報）」が当てはめられ、表示される。
【００６０】
また、図１６（ａ）の第１層の第３段目には、図１４に示すように、「中会議室」と表示される。
また、この第３段目の欄は、図１４に示すように、第２層である「中会議室用詳細予約情報ウインドウ」と関連付けられる。
この「中会議室用詳細予約情報ウインドウ」は、ウインドウの左側欄に時間経過を縦方向に表示し、中央及び右側欄に左側欄で示した時間に即して利用予約時間を時間経過と共に縦方向に表示すると共にその利用者情報を表示するフォームとなっている。
このため、必要な情報を会議室利用予約個別情報から抽出して、第１層の第３段目の第２層として、時間が「９」〜「２０」までの数字が縦方向に当てはめて、配置され、この数字に沿って、９時〜１２時「グループＡ（利用者情報）」、１２時〜１５時「グループＢ（利用者情報）」、１８時〜２１時「グループＣ」が当てはめられ、図１６（ｂ）に示すように、表示される。
【００６１】
また、図１６（ａ）の第１層の第４段目には、図１５に示すように、「工芸室」と表示される。
また、この第４段目の欄は、図１５に示すように、第２層である「工芸室用詳細予約情報ウインドウ」と関連付けられる。
この「工芸室用詳細予約情報ウインドウ」は、ウインドウの左側欄に時間経過を縦方向に表示し、中央及び右側欄に左側欄で示した時間に即して利用予約時間を時間経過と共に縦方向に表示すると共にその利用者情報を表示するフォームとなっている。
このため、必要な情報を会議室利用予約個別情報から抽出して、第１層の第４段目の第２層として、時間が「９」〜「２０」までの数字が縦方向に当てはめて、配置され、この数字に沿って、９時〜１２時「グループＤ（利用者情報）」、１２時〜１５時「グループＥ（利用者情報）」、１５時〜１８時「グループＦ」が当てはめられ、表示される。
【００６２】
以上のような、端末１００ｂのタッチパネル付きディスプレイ１０１ｂに表示すべき「端末用変更表示情報（小型表示フォーム基準）」が図７の「端末用変更表示情報記憶部５２」に記憶される。
なお、「標準表示フォーム」を用いて「端末用変更表示情報」を生成する工程については、上述の図５の「端末用得表示情報記憶部３４」の「端末用得表示情報」の生成工程と同様なので、説明を省略する。
【００６３】
次いで、ＳＴ２１へ進む。ＳＴ２１では、管理サーバ１０が、「端末用変更表示情報（例えば、小型表示フォームに基づく端末用変更表示情報）」を端末１００ｂに送信する。
次いで、ＳＴ２２へ進む。ＳＴ２０では、端末１００ｂが管理サーバ１０から受信した
「端末用変更表示情報（例えば、小型表示フォームに基づく端末用変更表示情報）」をタッチパネル付きディスプレイ１０１ｂに表示されるウインドウに表示する。
【００６４】
すなわち、このとき、ウインドウはタッチパネル付きディスプレイ１０１ｂ内で縮小され、横幅５４０ピクセルとなっているが、この小さくなったウインドウに「端末用変更表示情報」に第１層が、図１６（ａ）に示すように示される。
したがって、利用者は、小さくなったウインドウでも会議室の利用予約情報の必要な項目を明確に把握することができる。
【００６５】
次いで、ＳＴ２３へ進む。ＳＴ２３では、図２の「関連情報表示選択判断実行部（プログラム）１０７ｂ」が動作し、タッチパネル付きディスプレイ１０１ｂのウインドウに表示されている図１６（ａ）に示す「端末用変更表示情報」の「欄」を選択したか否かを判断する。
具体的には、図１６（ａ）の「小会議室」「中会議室」「工芸室」等の欄に利用者の指等が触れ、選択されたか否かが判断される。
【００６６】
ＳＴ２３で、選択されなかったときは、ＳＴ２４で当該ウインドウが閉じられたか否かを判断し、閉じられたときは、終了する。
一方、ＳＴ２３で、欄、例えば、「中会議室」が選択されたときは、ＳＴ２５へ進む。ＳＴ２５では、選択した「欄」、例えば、「中会議室」に関連付けられている「詳細予約情報ウインドウ」、例えば、図１４の「中会議室用詳細予約情報ウインドウ」が当該「中会議室欄」の直下に、図１６（ｂ）に示すように表示される。
【００６７】
したがって、上述のように、ウインドウが小さくなっても、ウインドウに表示される「表示フォーム」を「標準表示フォーム」から「小型表示フォーム」に変更することで、利用者にとって見やすく、把握し易く情報を表示することができる。また、情報を２層とすることで、大きいウインドウ用の標準表示フォームと同様の内容を利用者にとって見やすい状態で表示させることができる。
【００６８】
なお、本発明は、上述の各実施の形態に限定されない。本実施の形態では、管理サーバ１０が端末１００ｂのウインドウの大きさから「標準表示フォーム」又は「小型表示フォーム」を判断し、その該当する情報を端末１００ｂに送信する例で説明したが、本発明では、かかる構成に限らず、端末１００ｂ側がウインドウの大きさから「標準表示フォーム」又は「小型表示フォーム」を判断する構成としても構わない。
また、本実施の形態では、端末１００ｂに当初、「標準表示フォーム」に基づく情報を表示させ、その後、「小型表示フォーム」に基づく情報を表示させる例で説明したが、本発明は、これに限らず、当初、「小型表示フォーム」に基づく情報を表示させ、その後、「標準表示フォーム」に基づく情報を表示させる場合も含まれる。
【符号の説明】
【００６９】
１・・・会議室利用予約システム、２・・・インターネット網、３・・・基地局、１０・・・管理サーバ、１１・・・管理サーバ制御部、１２・・・管理サーバ側通信装置、１３・・・管理サーバ側ディスプレイ、１４・・・管理サーバ側入力装置、２０・・・第１各種情報記憶部、２１・・・会議室利用予約メニュー画面情報記憶部、２２・・・ウインドウ横幅ピクセル情報要求部（プログラム）、２３・・・管理サーバ側ウインドウ横幅ピクセル情報記憶部、２４・・・表示フォーム判断部（プログラム）、２５・・・標準／小型表示フォーム基準情報記憶部、２６・・・判断済み表示フォーム記憶部、３０・・・第２各種情報記憶部、３１・・・端末用表示情報生成部（プログラム）、３２・・・標準表示フォーム記憶部、３２ａ・・・標準表示フォーム、３３・・・会議室利用予約個別情報記憶部、３４・・・端末用表示情報記憶部、３５・・・サーバ側変更後横幅ピクセル情報記憶部、３６・・・小型表示フォーム記憶部、３６ａ・・・小型表示フォーム、４０・・・第３各種情報記憶部、４１・・・変更後表示フォーム判断部（プログラム）、４２・・・変更後表示フォーム記憶部、４３・・・表示フォーム変更可否判断部（プログラム）、４４・・・要変更表示フォーム記憶部、５０・・・第４各種情報記憶部、５１・・・表示フォーム変更部（プログラム）、５２・・・端末用変更表示情報記憶部、１００ａ・・・スマートフォン、１００ｂ・・・タブレット型コンピュータ、１０１ａ、１０１ｂ・・・タッチパネル付きディスプレイ、１０２ａ、１０２ｂ・・・スイッチ、１０３ａ（ｂ）・・・端末制御部、１０４ａ（ｂ）・・・端末側通信装置、１０５ａ（ｂ）・・・ウインドウ横幅ピクセル変更検知部（プログラム）、１０６ａ（ｂ）・・・変更後横幅ピクセル情報記憶部、１０７ａ（ｂ）・・・関連情報表示選択判断実行部（プログラム）、１０８ａ（ｂ）・・・端末側ウインドウ横幅ピクセル情報記憶部、
【図１】
2015087995.tif 000003
【図２】
2015087995.tif 000004
【図３】
2015087995.tif 000005
【図４】
2015087995.tif 000006
【図５】
2015087995.tif 000007
【図６】
2015087995.tif 000008
【図７】
2015087995.tif 000009
【図８】
2015087995.tif 000010
【図９】
2015087995.tif 000011
【図１０】
2015087995.tif 000012
【図１１】
2015087995.tif 000013
【図１２】
2015087995.tif 000014
【図１３】
2015087995.tif 000015
【図１４】
2015087995.tif 000016
【図１５】
2015087995.tif 000017
【図１６】
2015087995.tif 000018